(57)【要約】トラッキング極性情報が記録された光ディスク、その記録装置と記録方法及びその再生装置と再生方法を提供する。  本発明による光ディスクは、クランピング領域、リードイン領域、データ領域及び前記クランピング領域と前記リードイン領域との間に配置されて、前記データ領域についてのトラッキングを行う前に読み込むためのディスク関連情報が記録されたＢＣＡが設けられていることを特徴とする。これにより、トラッキング極性情報及び／または反射率情報を得るための試行錯誤を行わず、直ちにデータ領域に／からユーザーデータを記録／再生できる。
2006505887.tif 000002
【特許請求の範囲】
【請求項１】
クランピング領域と、
リードイン領域と、
データ領域と、
前記クランピング領域と前記リードイン領域との間に配置されて、前記データ領域についてのトラッキングを行う前に読み込むためのディスク関連情報が記録されたＢＣＡとが設けられていることを特徴とする光ディスク。
【請求項２】
前記ディスク関連情報は、トラッキング極性情報及び反射率情報のうち、少なくとも一つであることを特徴とする請求項１に記載の光ディスク。
【請求項３】
前記トラッキング極性情報及び反射率情報は、結晶質または非晶質のマークが配列されたマークパターンで記録されることを特徴とする請求項２に記載の光ディスク。
【請求項４】
前記トラッキング極性情報は、前記ＢＣＡの先頭バイトから記録されることを特徴とする請求項２に記載の光ディスク。
【請求項５】
前記トラッキング極性情報は、複数回反復して記録されることを特徴とする請求項４に記載の光ディスク。
【請求項６】
前記トラッキング極性情報の先頭バイトのうち、最初の２ビットは、反復して記録される情報のそれぞれの識別子を表し、残りの６ビットは、前記トラッキング極性情報の残りの情報を表示することを特徴とする請求項４に記載の光ディスク。
【請求項７】
前記６ビットのうち、１ビットは、前記ＢＣＡに他の情報が記録されているか否かを知らせるフラッグ情報であることを特徴とする請求項６に記載の光ディスク。
【請求項８】
前記６ビットのうち、残りの５ビットは、前記トラッキング極性情報であって、各記録層についてのトラッキング信号の極性を知らせる情報であることを特徴とする請求項６に記載の光ディスク。
【請求項９】
前記クランピング領域、前記リードイン領域、前記データ領域は、記録層に配置されていることを特徴とする請求項１に記載の光ディスク。
【請求項１０】
前記トラッキング極性情報の最初の２ビットｂ１ｂ０は、反復的に記録される情報の識別子であり、前記最初の２ビットｂ１ｂ０が００であれば、前記情報は、一番目のトラッキング極性情報が前記ＢＣＡに記録されていることを表し、前記最初の２ビットｂ１ｂ０が０１であれば、前記情報は、二番目のトラッキング極性情報が前記ＢＣＡに記録されていることを表し、前記最初の２ビットｂ１ｂ０が１０であれば、前記情報は、三番目のトラッキング極性情報が前記ＢＣＡに記録されていることを表し、前記最初の２ビットｂ１ｂ０が１１であれば、前記情報は、四番目のトラッキング極性情報が前記ＢＣＡに記録されていることを表すことを特徴とする請求項６に記載の光ディスク。
【請求項１１】
第１リードイン領域、第１データ領域、及び第１リードアウト領域が形成された第１記録層と、
第２リードイン領域、第２データ領域、及び第２リードアウト領域が形成された第２記録層とを備え、
前記第１記録層及び第２記録層のうち、少なくとも一つには、前記第１データ領域及び第２データ領域についてのトラッキングを行う前に読み込むディスク関連情報が記録されたＢＣＡが設けられていることを特徴とする光ディスク。
【請求項１２】
前記ディスク関連情報は、トラッキング極性情報及び反射率情報のうち、少なくとも一つであることを特徴とする請求項１１に記載の光ディスク。
【請求項１３】
前記トラッキング極性情報及び反射率情報は、結晶質または非晶質のマークが配列されたマークパターンで記録されることを特徴とする請求項１２に記載の光ディスク。
【請求項１４】
前記トラッキング極性情報は、前記ＢＣＡの先頭バイトから記録されることを特徴とする請求項１３に記載の光ディスク。
【請求項１５】
前記トラッキング極性情報は、複数回反復して記録されることを特徴とする請求項１４に記載の光ディスク。
【請求項１６】
前記トラッキング極性情報の最初の２ビットｂ１ｂ０は、反復的に記録される情報の識別子であり、前記最初の２ビットｂ１ｂ０が００であれば、前記情報は、一番目のトラッキング極性情報が前記ＢＣＡに記録されていることを表し、前記最初の２ビットｂ１ｂ０が０１であれば、前記情報は、二番目のトラッキング極性情報が前記ＢＣＡに記録されていることを表し、前記最初の２ビットｂ１ｂ０が１０であれば、前記情報は、三番目のトラッキング極性情報が前記ＢＣＡに記録されていることを表し、前記最初の２ビットｂ１ｂ０が１１であれば、前記情報は、四番目のトラッキング極性情報が前記ＢＣＡに記録されていることを表すことを特徴とする請求項１１に記載の光ディスク。
【請求項１７】
少なくとも一つの記録層が備えられた光ディスクに情報を記録する方法において、
前記記録層に設けられたＢＣＡに、トラッキング極性情報及び反射率情報のうち、少なくとも一つを記録する段階を含むことを特徴とする方法。
【請求項１８】
少なくとも一つの記録層が備えられた光ディスクから情報を再生する方法において、
前記記録層に設けられたＢＣＡから、トラッキング極性情報を読み取る段階と、
読み取られたトラッキング極性情報を解釈し、それに基づいてトラッキングを行って、光ディスクに／からユーザーデータを記録／再生する段階とを含むことを特徴とする方法。
【請求項１９】
少なくとも一つの記録層が備えられた光ディスクから情報を再生する方法において、
前記記録層に設けられたＢＣＡから、反射率情報を読み取る段階と、
読み取られた反射率情報を解釈し、それに基づいて記録パワーまたは再生パワーを調整して、光ディスクに／からユーザーデータを記録／再生する段階とを含むことを特徴とする方法。
【請求項２０】
トラッキング極性情報及び反射率情報のうち、少なくとも一つを生成する制御部と、
前記制御部により生成されたトラッキング極性情報と反射率情報のうち、少なくとも一つを光ディスクに形成されたＢＣＡに記録する記録部とを含むことを特徴とする光ディスクの記録装置。
【請求項２１】
光ディスクのＢＣＡから、トラッキング極性情報及び反射率情報のうち、少なくとも一つを読み取る読み取り部と、
前記読み取り部により読み取られた情報を解釈し、解釈された情報に基づいて前記光ディスクに／からユーザーデータを記録／再生する制御部とを含むことを特徴とする光ディスクの再生装置。
【請求項２２】
光ディスクにおいて、
前記光ディスクに形成された第１記録層と、
前記光ディスクに形成された第２記録層であって、前記第１記録層と前記第２記録層とは、それぞれクランピング領域、ＢＣＡ、リードイン領域及びリードアウト領域を含み、前記クランピング領域は、前記光ディスクをクランピングするために加圧される領域であり、前記ＢＣＡは、トラッキング極性情報及び／または反射率情報が記録される領域である、第２記録層と、
前記リードイン領域と前記リードアウト領域との間に存在して、ユーザーデータを記録するためのデータ領域とを含むことを特徴とする光ディスク。
【請求項２３】
前記第１記録層は、ＰＣＭで形成され、前記トラッキング極性情報及び／または前記反射率情報は、結晶質及び／または非晶質のマークのパターンで記録されることを特徴とする請求項２２に記載の光ディスク。
【請求項２４】
前記第２記録層は、ＰＣＭで形成され、前記トラッキング極性情報及び／または前記反射率情報は、結晶質及び／または非晶質のマークのパターンで記録されることを特徴とする請求項２２に記載の光ディスク。
【請求項２５】
前記クランピング領域は、円形の帯状であり、前記光ディスクの内周部分に形成されることを特徴とする請求項２２に記載の光ディスク。
【請求項２６】
前記光ディスクに対応する一連番号と製造日付とが、前記ＢＣＡに記録されることを特徴とする請求項２２に記載の光ディスク。
【請求項２７】
前記ＢＣＡ  Ｂは、前記第１記録層に形成されることを特徴とする請求項２２に記載の光ディスク。
【請求項２８】
前記ＢＣＡ  Ｂは、前記第２記録層に形成されることを特徴とする請求項２２に記載の光ディスク。
【請求項２９】
前記トラッキング極性情報の最初の２ビットｂ１ｂ０は、反復的に記録される情報の識別子であり、前記最初の２ビットｂ１ｂ０が００であれば、前記情報は、一番目のトラッキング極性情報が前記ＢＣＡに記録されていることを表し、前記最初の２ビットｂ１ｂ０が０１であれば、前記情報は、二番目のトラッキング極性情報が前記ＢＣＡに記録されていることを表し、前記最初の２ビットｂ１ｂ０が１０であれば、前記情報は、三番目のトラッキング極性情報が前記ＢＣＡに記録されていることを表し、前記最初の２ビットｂ１ｂ０が１１であれば、前記情報は、四番目のトラッキング極性情報が前記ＢＣＡに記録されていることを表すことを特徴とする請求項２２に記載の光ディスク。
【発明の詳細な説明】
【技術分野】
【０００１】
本発明は、光ディスクに係り、特に、少なくとも一つの記録層を備えた光ディスク、その記録装置と記録方法、及びその再生装置と再生方法に関する。
【０００２】
現在、広く使われている情報記録媒体である光ディスクとしては、ＣＤとＤＶＤとを挙げることができる。一般的に、一回のみ記録可能な（リードオンリ）光ディスクの記録層には、ピットにユーザーデータが記録されており、反復記録可能な（リライタブル）光ディスクの記録層には、相変化材料（Ｐｈａｓｅ  Ｃｈａｎｇｅ  Ｍａｔｅｒｉａｌ：ＰＣＭ）が塗布されているので、相変化によりユーザーデータが記録される。
【０００３】
光ディスクの再生装置に備えられたピックアップは、ユーザーデータが記録されたトラックを正確に追従して、トラックから反射されたレーザービームを受光することによって、ユーザーデータを読み取る。ピックアップがトラックを追従するために使われる信号を、トラッキング信号という。トラッキング信号は、レーザービームが複数個に分割された受光部を有したフォトダイオードにより受光された後、各受光部に受光された光から得られた信号を加算するか、または減算して作られる。トラッキング信号は、中心を基準として左右の極性が互いに逆であるＳ字曲線の形態を有する。
【０００４】
トラッキング信号の極性は、光ディスクの種類、すなわち記録層の物理的特性、例えば、ピットの物理的形状、トラックの物理的形状などによって変わる。すなわち、トラッキング信号の極性は、光ディスクの種類または記録層の物理的特性によって、２つに区分されるところ、一つは（−）から（＋）に変化し、他の一つは（＋）から（−）に変化する。これにより、再生装置は、光ディスクがローディングされれば、試行錯誤を通じてトラッキング信号の極性を把握した後、把握された極性情報に基づいてユーザーデータが記録されたトラックを追従して、ユーザーデータを読み込む。すなわち、従来の再生装置は、ユーザーデータを読み込むに先立って、トラッキング信号の極性情報を得るための時間を必要とし、これは、ユーザーデータの即時再生が遅延される原因の一つとなっている。
【０００５】
反射率の場合も、同様である。反射率とは、光ディスクの記録層に照射したレーザービームのパワーに対して、反射されたレーザービームのパワーの比率を示す。すなわち、反射率も、光ディスクの種類または記録層の物理的特性によって変わるので、再生装置は、試行錯誤を通じて反射率情報を分からねばならない。
【発明の開示】
【発明が解決しようとする課題】
【０００６】
本発明の目的は、トラッキング信号の極性及び／または反射率の情報を直ちに把握できる光ディスク、その記録装置と記録方法、及びその再生装置と再生方法を提供するところにある。
【課題を解決するための手段】
【０００７】
前記目的は、本発明によって、クランピング領域、リードイン領域、データ領域、及び前記クランピング領域と前記リードイン領域との間に配置されて、前記データ領域についてのトラッキングを行う前に読み込むためのディスク関連情報が記録されたバーストカッティング領域（ＢＣＡ）が設けられていることを特徴とする光ディスクによって達成される。
【０００８】
前記ディスク関連情報は、トラッキング極性情報及び反射率情報のうち、少なくとも一つであり、結晶質または非晶質のマークが配列されたマークパターンで記録されることが望ましい。
【０００９】
前記トラッキング極性情報は、前記ＢＣＡの先頭バイトから記録され、複数回反復して記録されることが望ましい。
【００１０】
前記トラッキング極性情報の先頭バイトのうち、最初の２ビットは、反復して記録される情報のそれぞれの識別子を表し、残りの６ビットは、情報を表示することが望ましい。
【００１１】
前記６ビットのうち、１ビットは、前記ＢＣＡに他の情報が記録されているか否かを知らせるフラッグ情報であり、残りの５ビットは、前記トラッキング極性情報であって、各記録層についてのトラッキング信号の極性を知らせる情報であることが望ましい。
【００１２】
また、前記目的は、第１リードイン領域、第１データ領域、及び第１リードアウト領域が形成された第１記録層と、第２リードイン領域、第２データ領域及び第２リードアウト領域が形成された第２記録層とを備え、前記第１記録層及び第２記録層のうち、少なくとも一つには、前記第１データ領域及び第２データ領域についてのトラッキングを行う前に読み込むディスク関連情報が記録されたＢＣＡが設けられていることを特徴とする光ディスクによっても達成される。
【００１３】
前記ディスク関連情報は、トラッキング極性情報及び反射率情報のうち、少なくとも一つであり、結晶質または非晶質のマークが配列されたマークパターンで記録されることが望ましい。
【００１４】
前記トラッキング極性情報は、前記ＢＣＡの先頭バイトから記録され、複数回反復して記録されることが望ましい。
【００１５】
一方、本発明の他の分野によれば、前記目的は、少なくとも一つの記録層が備えられた光ディスクに情報を記録する方法において、前記記録層に設けられたＢＣＡに、トラッキング極性情報及び反射率情報のうち、少なくとも一つを記録する段階を含むことを特徴とする方法によっても達成される。
【００１６】
一方、本発明の他の分野によれば、前記目的は、少なくとも一つの記録層が備えられた光ディスクから情報を再生する方法において、前記記録層に設けられたＢＣＡから、トラッキング極性情報を読み取る段階と、読み取られたトラッキング極性情報を解釈し、それに基づいてトラッキングを行って、光ディスクに／からユーザーデータを記録／再生する段階と、を含むことを特徴とする方法によっても達成される。
【００１７】
また、前記目的は、少なくとも一つの記録層が備えられた光ディスクから情報を再生する方法において、前記記録層に設けられたＢＣＡから、反射率情報を読み取る段階と、読み取られた反射率情報を解釈し、それに基づいて記録パワーまたは再生パワーを調整して、光ディスクに／からユーザーデータを記録／再生する段階とを含むことを特徴とする方法によっても達成される。
【００１８】
一方、本発明の他の分野によれば、前記目的は、トラッキング極性情報及び反射率情報のうち、少なくとも一つを生成する制御部と、前記制御部により生成された情報を光ディスクに形成されたＢＣＡに記録する記録部とを含むことを特徴とする記録装置によっても達成される。
【００１９】
一方、本発明の他の分野によれば、前記目的は、光ディスクのＢＣＡから、トラッキング極性情報及び反射率情報のうち、少なくとも一つを読み取る読み取り部と、前記読み取り部により読み取られた情報を解釈し、解釈された情報に基づいて前記光ディスクに／からユーザーデータを記録／再生する制御部とを含むことを特徴とする再生装置によっても達成される。
【発明を実施するための最良の形態】
【００２０】
以下、添付された図面を参照して、本発明の望ましい実施形態を詳細に説明する。
【００２１】
図１は、本発明の望ましい実施形態による記録装置の概略図である。図１に示すように、記録装置は、本発明によって、光ディスク１００に形成されたＢＣＡにトラッキング極性情報及び／または反射率情報を記録するために、記録部１及び制御部２を備える。制御部２は、ＢＣＡに記録するためのトラッキング極性情報及び／または反射率情報を生成し、記録部１は、それらの情報のうち、少なくとも一つを光ディスク１００のＢＣＡに記録する。これにより、光ディスク１００のＢＣＡには、本発明によって、トラッキング極性情報及び／または反射率情報が含まれる。
【００２２】
図２は、本発明の望ましい実施形態による再生装置の概略図である。図２に示すように、再生装置は、読み取り部４と制御部５とを備える。読み取り部４は、本発明による光ディスク１００に設けられたＢＣＡから、トラッキング極性情報及び／または反射率情報を読み取って、制御部５に提供する。制御部５は、読み取り部４から提供されたトラッキング極性情報及び／または反射率情報を解釈し、解釈された情報に基づいて、光ディスク１００に記録されたユーザーデータを再生する。
【００２３】
図１の記録装置は、ディスク製作者によりマスタリング過程で使われる装置を示す一方、図２の再生装置で「再生」は、ＢＣＡからトラッキング極性情報及び／または反射率情報を再生するという意味で付けられたものであるだけで、ユーザーの立場で記録装置または再生装置のどこにも搭載される。ＢＣＡからトラッキング極性情報及び／または反射率情報を再生する過程は、ユーザーデータの記録／再生時、いずれも行われるためである。
【００２４】
図３は、本発明の一実施形態による光ディスク１００の概略図である。図３に示すように、光ディスク１００には、第１記録層
【００２５】
【数１】
2006505887.tif 000003
が設けられている。第１記録層
【００２６】
【数２】
2006505887.tif 000004
には、クランピング領域Ｃ、ＢＣＡ  Ｂ、リードイン領域ＬＩ、及びリードアウト領域ＬＯが設けられている。クランピング領域Ｃは、ディスクをクランピングするためのクランピング機構により加圧される領域をいう。一般的に、クランピング領域Ｃは、ディスクの内周側の中心に円形の帯状になっている。ＢＣＡ  Ｂは、本発明による情報、すなわちトラッキング極性情報及び／または反射率情報が記録される領域である。また、ＢＣＡ  Ｂには、ディスクについての固有情報、すなわち一連番号、製造年月日などがさらに記録されることがあるが、これは選択的である。リードイン領域ＬＩとリードアウト領域ＬＯとの間には、ユーザーデータが記録されるデータ領域が存在する。第１記録層
【００２７】
【数３】
2006505887.tif 000005
がＰＣＭで形成される場合、トラッキング極性情報及び／または反射率情報は、結晶質及び／または非晶質のマークが配列されたマークパターンで記録されることが望ましい。ＢＣＡ  Ｂに所定情報を記録する方法に関するさらに詳細な内容は、本出願人が既出願したことがある韓国特許出願第２００１−４７９５７号明細書“光ディスク、光ディスクの固有情報の記録方法及びその再生方法”に記述されている。
【００２８】
図４Ａ及び図４Ｂは、本発明の他の実施形態による光ディスクの概略図である。図４Ａ及び図４Ｂに示すように、光ディスクには、第１記録層
【００２９】
【数４】
2006505887.tif 000006
及び第２記録層
【００３０】
【数５】
2006505887.tif 000007
が設けられている。第１記録層
【００３１】
【数６】
2006505887.tif 000008
及び第２記録層
【００３２】
【数７】
2006505887.tif 000009
には、クランピング領域Ｃ、リードイン領域ＬＩ及びリードアウト領域ＬＯが設けられている。リードイン領域ＬＩとリードアウト領域ＬＯとの間には、ユーザーデータが記録されるデータ領域が存在する。クランピング領域Ｃ、リードイン領域ＬＩ、データ領域及びリードアウト領域ＬＯは、図３のそれと同一な役割を行う領域であるので、反復する説明は省略する。一方、第１記録層
【００３３】
【数８】
2006505887.tif 000010
のクランピング領域Ｃとリードイン領域ＬＩとの間には、ＢＣＡ  Ｂが形成されている。ＢＣＡ  Ｂは、本発明による情報、すなわちトラッキング極性情報及び／または反射率情報が記録される領域である。また、ＢＣＡ  Ｂには、ディスクについての固有情報、すなわち一連番号、製造年月日などがさらに記録されることがあるが、これは選択的である。第１記録層
【００３４】
【数９】
2006505887.tif 000011
がＰＣＭで形成される場合、トラッキング極性情報及び／または反射率情報は、結晶質及び／または非晶質のマークが配列されたマークパターンで記録されることが望ましい。
【００３５】
図５Ａ及び図５Ｂは、本発明のさらに他の実施形態による光ディスクの概略図である。図５Ａ及び図５Ｂに示すように、光ディスクには、第１記録層
【００３６】
【数１０】
2006505887.tif 000012
及び第２記録層
【００３７】
【数１１】
2006505887.tif 000013
が設けられている。第１記録層
【００３８】
【数１２】
2006505887.tif 000014
及び第２記録層
【００３９】
【数１３】
2006505887.tif 000015
には、クランピング領域Ｃ、リードイン領域ＬＩ、及びリードアウト領域ＬＯが設けられている。リードイン領域ＬＩとリードアウト領域ＬＯとの間には、ユーザーデータが記録されるデータ領域が存在する。クランピング領域Ｃ、リードイン領域ＬＩ、データ領域及びリードアウト領域ＬＯは、図３のそれと同一な役割を行う領域であるので、反復する説明は省略する。一方、本実施形態では、ＢＣＡ  Ｂは、図４Ａ及び図４Ｂのそれが第１記録層
【００４０】
【数１４】
2006505887.tif 000016
に存在すると異なり、第２記録層
【００４１】
【数１５】
2006505887.tif 000017
に存在する。すなわち、ＢＣＡ  Ｂは、第２記録層
【００４２】
【数１６】
2006505887.tif 000018
のクランピング領域Ｃとリードイン領域Ｌ１との間に存在する。同様に、第２記録層
【００４３】
【数１７】
2006505887.tif 000019
がＰＣＭで形成される場合、ディスクの固有情報は、結晶質及び／または非晶質のマークが配列されたマークパターンで記録されることが望ましい。
【００４４】
図５Ａ及び図５Ｂの光ディスクは、図１を参照して説明したものと比較する時、ＢＣＡが存在する記録層が相異なる。すなわち、本実施形態で、ＢＣＡは、第２記録層１に形成されている。
【００４５】
図６Ａは、本発明の一実施形態によるＢＣＡのデータ構造図である。図６Ａに示すように、ＢＣＡには、本発明によるトラッキング極性情報が記録される。トラッキング極性情報は、光ディスク１００のトラッキング信号の極性を知らせる。トラッキング信号は、中心を基準として左右の極性が互いに逆であるＳ字曲線の形態を有し、トラッキング信号の極性は、光ディスクの種類、すなわち記録層の物理的特性、例えばピットの物理的形状、トラックの物理的形状などによって変わる。すなわち、トラッキング信号の極性は、光ディスクの種類または記録層の物理的特性によって２つに区分されるところ、一つは（−）から（＋）に変化し、他の一つは（＋）から（−）に変化する。ＢＣＡには、トラッキング極性情報以外に、ディスクの固有情報がさらに記録されうるが、これは選択的である。
【００４６】
図６Ｂは、本発明の他の実施形態によるＢＣＡのデータ構造図である。図６Ｂに示すように、ＢＣＡには、本発明によるトラッキング極性情報及び反射率情報が記録される。トラッキング極性情報は、図６Ａを参照して説明したようである。反射率情報は、光ディスク１００の反射率を知らせる。反射率とは、光ディスク１００の記録層に照射したレーザービームのパワーに対して、反射されたレーザービームのパワーの比率を示す。反射率も、光ディスクの種類または記録層の物理的特性によって変わる。
【００４７】
一方、図６Ａ及び図６ＢのＢＣＡには、トラッキング極性情報が存在するが、必要によって、トラッキング極性情報は記録せず、反射率情報のみを記録することも可能である。
【００４８】
図７は、本発明によって、ＢＣＡに記録される情報のデータ構造の一具現例を示す。図７に示すように、光ディスク１００が、図４Ａないし図５Ｂの場合のように、２つの記録層を有する時、ＢＣＡの具現例を示すものであって、トラッキング極性情報は、ＢＣＡの先頭バイトから４回反復して記録される。最初の２ビットｂ１ｂ０は、反復して記録される情報のそれぞれの識別子を表す。００は、一番目のトラッキング極性情報、０１は、二番目のトラッキング極性情報、１０は、三番目のトラッキング極性情報、１１は、四番目のトラッキング極性情報をそれぞれ示す。情報が反復して記録されれば、一つの情報に誤りが生じて読み取りが不可能であっても、他の情報を読み込むことができるので、情報の強靭性が高くなる。一方、残りの６ビットは、情報を表示する。ｂ２は、フラッグ情報であって、ＢＣＡに他の情報、すなわちディスクの固有情報が記録されているか否かを知らせる。０は、他の情報が記録されていないことを表し、１は、他の情報が記録されていることを表す。ｂ７ｂ６ｂ５ｂ４ｂ３は、トラッキング極性情報を表すものであって、次の通り定義できる。
０００００：第１記録層＝Ａタイプ、第２記録層＝Ｂタイプ
００００１：第１記録層＝Ｂタイプ、第２記録層＝Ａタイプ
０００１０：第１記録層＝第２記録層＝Ａタイプ
０Ｏ０１１：第１記録層＝第２記録層＝Ｂタイプ
例えば、ＢＣＡに他の情報が記録されておらず、第１記録層のトラッキング信号の極性がＢタイプであり、第２記録層のトラッキング信号の極性がＡタイプであれば、ｂ２からｂ７までの６ビットは、次の通り表現される。
００００１０
ＢＣＡにディスクの固有情報など他の情報が記録されており、第１記録層のトラッキング信号の極性と、第２記録層のトラッキング信号の極性とがいずれもＡタイプであれば、ｂ２からｂ７までの６ビットは、次の通り表現される。
０００１０１
トラッキング極性情報を１バイトで表示し難い場合、例えば記録層の個数が２つを超える場合、追加ビットを利用できる。同様な方式で、反射率情報も表現できる。６ビットで表示可能な他の組み合わせは、保留されたと見なす。
【００４９】
トラッキング極性情報及び／または反射率情報は、ＢＣＡの先頭バイトから記録することが、再生装置に備えられたディスクのドライブの立場では望ましい。光ディスク１００がディスクのドライブにローディングされた後、最も先にアクセスする領域がＢＣＡであり、最も先に情報を得ることができるバイトの位置も先頭バイトであるためである。
【００５０】
前記のような構成に基づいて、本発明による再生方法を説明すれば、次の通りである。前述したように、ここでの「再生」は、ユーザーデータの再生を意味するものでなく、ＢＣＡに記録されたトラッキング極性情報及び／または反射率情報の再生を示す。それらの情報の再生は、データ領域に／からユーザーデータを記録／再生する時、いずれも行われる。
【００５１】
図８は、本発明の一実施形態による再生方法を示すフローチャートである。図８に示すように、図２の再生装置に搭載されたディスクのドライブに、光ディスク１００がローディングされれば（８０１段階）、ディスクのドライブに備えられた光ビックアップは、ＢＣＡからトラッキング極性情報を読み取る（８０２段階）。再生装置（ディスクのドライブ）は、読み取られたトラッキング極性情報に基づいて、試行錯誤なしに直ちにトラッキングを行って、光ディスク１００のデータ領域に／からユーザーデータを記録／再生する（８０３段階）。すなわち、光ピックアップは、読み取られたトラッキング極性情報をディスクのドライブに提供し、ディスクのドライブは、提供された情報に基づいて光ピックアップを制御して、光ディスク１００に／からユーザーデータを記録／再生する。
【００５２】
図９は、本発明の他の実施形態による再生方法を示すフローチャートである。図９に示すように、図２の再生装置に搭載されたディスクのドライブに、光ディスク１００がローディングされれば（９０１段階）、ディスクのドライブに備えられた光ピックアップは、ＢＣＡから反射率情報を読み取る（９０２段階）。再生装置（ディスクのドライブ）は、読み取られた反射率情報に基づいて、試行錯誤なしに直ちにレーザービームの記録／再生パワーを調整した後、光ディスク１００のデータ領域に／からユーザーデータを記録／再生する（９０３段階）。すなわち、光ピックアップは、読み取られた反射率情報をディスクのドライブに提供し、ディスクのドライブは、提供された情報に基づいて光ピックアップを制御して、光ディスク１００に／からユーザーデータを記録／再生する。
【産業上の利用可能性】
【００５３】
前述した本発明によれば、ＢＣＡにトラッキング極性情報及び／または反射率情報を記録しておくことによって、トラッキング極性情報及び／または反射率情報を得るための試行錯誤を行わず、直ちにデータ領域に／からユーザーデータを記録／再生できる。
【図面の簡単な説明】
【００５４】
【図１】本発明の望ましい実施形態による記録装置の概略図である。
【図２】本発明の望ましい実施形態による再生装置の概略図である。
【図３】本発明の一実施形態による光ディスク１００の概略図である。
【図４Ａ】本発明の他の実施形態による光ディスクの概略図である。
【図４Ｂ】本発明の他の実施形態による光ディスクの概略図である。
【図５Ａ】本発明のさらに他の実施形態による光ディスクの概略図である。
【図５Ｂ】本発明のさらに他の実施形態による光ディスクの概略図である。
【図６Ａ】本発明の一実施形態によるＢＣＡのデータ構造図である。
【図６Ｂ】本発明の他の実施形態によるＢＣＡのデータ構造図である。
【図７】本発明によって、ＢＣＡに記録される情報のデータ構造の一具現例である。
【図８】本発明の一実施形態による再生方法を示すフローチャートである。
【図９】本発明の他の実施形態による再生方法を示すフローチャートである。
【図１】
2006505887.tif 000020
【図２】
2006505887.tif 000021
【図３】
2006505887.tif 000022
2006505887.tif 000023
2006505887.tif 000024
【図６Ａ】
2006505887.tif 000025
【図６Ｂ】
2006505887.tif 000026
【図７】
2006505887.tif 000027
【図８】
2006505887.tif 000028
【図９】
2006505887.tif 000029
【国際調査報告】
2006505887.tif 000030
2006505887.tif 000031